(57)【要約】【課題】部品点数の増加および部品コストの増加を招くことなく、所定の保持力を確保した状態で照射方向の調整が可能な照明器具を提供する。【解決手段】光源であるＬＥＤユニット３４を収容した灯具３０は、回転板２５から延びるアーム部２６に、上下方向へ回動可能に支持される。回転板２５は、円筒形の器具本体２０と器具本体２０の上端２０１に装着したカバー２３との間に、回転可能に挟まれている。そして、回転板２５の表面２５１および裏面２５２に、器具本体２０およびカバー２３に接触する凸部２８１、２８２を設けたので、別部材を設けることなく、照射方向を調整可能かつ所定位置に保持することができる。【選択図】図１
2013045711.tif 000002
【特許請求の範囲】
【請求項１】
円筒形の器具本体と、
前記器具本体の上端に装着するカバーと、
前記器具本体と前記カバーとの間に回転可能に挟まれる回転板と、
前記回転板から延びるアーム部に上下方向へ回動可能に支持され光源を収容する灯具と、を有し、
前記回転板の表面および裏面に、前記器具本体および前記カバーに接触する凸部を設けた照明器具。
【発明の詳細な説明】
【技術分野】
【０００１】
本発明は、光源を収容する灯具が、器具本体に対して旋回可能および回動可能に設けられている照明器具に関するものである。
【背景技術】
【０００２】
従来より、光源を収容する灯具が、器具本体に対して旋回可能および回動可能に設けられている照明器具が知られている（例えば、特許文献１参照）。
図６に示すように、特許文献１に記載の照明器具１００は、天井埋込み型照明器具であり、アルミダイカスト製の円筒型の器具本体１０１を有し、器具本体１０１の上面には同じくアルミダイカスト製のトツプカバー１０２が一体的に設けられている。器具本体１０１の下端部には鍔部１０３が設けられており、器具本体１０１の側面には取付金具１０４が設けられている。
従って、鍔部１０３と取付金具１０４によって天井１０５を挟むことにより、器具本体１０１を天井１０５の取付孔１０６に取り付ける。
【０００３】
器具本体１０１内部には、コーン１０７が水平方向へ回転可能に取り付けられている。コーン１０７には、ランプ１０９を収容するランプフード１０８が、首振り自在に取り付けられている。
従って、コーン１０７を水平回転させ、ランプフード１０８を上下に回動させることにより、照明器具１００は所望の方向を照明することができる。
【先行技術文献】
【特許文献】
【０００４】
【特許文献１】実開平７−１５０５号公報（第１図）
【発明の概要】
【発明が解決しようとする課題】
【０００５】
しかしながら、前述したような従来の照明器具においては、コーン１０７を水平回転させて方向を調整する際に、コーン１０７を自由に回転できるようにすると、振動等で照射方向が変わってしまう。また、完全に固定してしまうと、照射方向の調整ができなくなる。さらに、ばね部材等を用いて回転する力を調整すると、部品点数の増加および部品コストの増加を招くという問題があった。
【０００６】
本発明は、従来の問題を解決するためになされたもので、部品点数の増加および部品コストの増加を招くことなく、所定の保持力を確保した状態で照射方向の調整が可能な照明器具を提供することを目的とする。
【課題を解決するための手段】
【０００７】
本発明の照明器具は、円筒形の器具本体と、前記器具本体の上端に装着するカバーと、前記器具本体と前記カバーとの間に回転可能に挟まれる回転板と、前記回転板から延びるアーム部に上下方向へ回動可能に支持され光源を収容する灯具と、を有し、前記回転板の表面および裏面に、前記器具本体および前記カバーに接触する凸部を設けたものである。
【発明の効果】
【０００８】
本発明は、器具本体と器具本体の上端に装着したカバーとの間に、回転可能に挟まれている回転板の表面および裏面に、器具本体およびカバーに接触する凸部を設けたので、回転板から延びるアーム部に取り付けられた灯具を、回転可能かつ一定の保持力で保持できる。このため、別部材を設けることなく、照射方向を調整可能かつ所定位置に保持することができるという効果を有する照明器具を提供できる。
【図面の簡単な説明】
【０００９】
【図１】本発明に係る第１実施形態の照明器具の一部破断の斜視図
【図２】天井に取り付けられた第１実施形態の照明器具の断面図
【図３】（Ａ）は第１実施形態の照明器具における回転板の平面図であり、（Ｂ）は（Ａ）中Ｂ方向から見た側面図
【図４】図２中ＩＶ部の拡大断面図
【図５】（Ａ）は第２実施形態の照明器具における回転板の平面図であり、（Ｂ）は（Ａ）中Ｂ方向から見た側面図
【図６】従来のダウンライトの断面図
【発明を実施するための形態】
【００１０】
（第１実施形態）
以下、本発明に係る第１実施形態の照明器具について、図面を用いて説明する。
図１および図２に示すように、本発明に係る実施形態の照明器具１０は、天井１１に設けられている取付孔１２に取り付けて、下方および斜め下方を照明するのに用いることができる。
【００１１】
照明器具１０は、上面および下面が開口（上開口２１、下開口２２）した略円筒形状の器具本体２０を有する。器具本体２０の上側には、上開口２１を覆うカバー２３が装着される。器具本体２０の下端部外側には鍔部２４が張り出して設けられている。
従って、器具本体２０は、鍔部２４を天井１１の下面に当接させて、器具本体２０の外面に設けられている取付金具（図示省略）で天井１１の上面（裏面）を押圧することにより、天井１１の取付孔１２に取り付けられる。
【００１２】
器具本体２０とカバー２３との間には、リング状の回転板２５が回転可能に挟まれる。回転板２５には、回転板２５の中心に対して対称位置に、一対のアーム部２６が下方へ突出して設けられている。アーム部２６の先端には、灯具３０が取付ねじ２７により回動可能に取り付けられる。
灯具３０は略円筒形状をしており、高さ方向中央部に底板３１が設けられていて、上部空間３２と下部空間３３とに区分している。底板３１の下面には光源であるＬＥＤユニット３４が取り付けられている。すなわち、ＬＥＤユニット３４は、灯具３０の下部空間３３に収容されている。
【００１３】
従って、灯具３０は、回転板２５を水平回転（図１中矢印Ａ参照）させることにより水平面内で回転し、アーム部２６の取付ねじ２７を中心として上下方向に回動（図２中矢印Ａ参照）させることにより、所望の方向へ向けることができる。
【００１４】
図１および図３（Ａ），図３（Ｂ）に示すように、回転板２５の表面２５１および裏面２５２には、所定間隔でそれぞれ凸部２８１、２８２が設けられている。
すなわち、回転板２５の表面２５１には、凸部２８１が所定間隔で設けられ、裏面２５２には、凸部２８２が所定間隔で設けられている。
なお、ここでは、凸部２８１および凸部２８２は、各々全周を４分割する位置に設けられており、各々４個ずつ設けられているが、個数はこれに限るものではない。また、凸部２８２は、回転板２５の周方向において、隣接する凸部２８１の中間位置に設けられている。
【００１５】
図３（Ａ），図３（Ｂ）および図４に示すように、凸部２８１、２８２は、例えば、球面の一部で形成されており、凸部２８１、２８２における板厚Ｄは、例えば、２．２±０．２ｍｍとすることができる。
また、器具本体２０の上面２０１には、全周にわたって突起２９が設けられており、器具本体２０とカバー２３との間に隙間Ｓを形成している。隙間Ｓの大きさは、例えば、２．７±０．２ｍｍとすることができる。
【００１６】
ここで、隙間Ｓは、凸部２８１、２８２における板厚Ｄよりも大きいが、凸部２８１、２８２は回転板２５の表面２５１および裏面２５２の両方に設けられているので、凸部２８１の頂部から凸部２８２の頂部までの寸法より小さく設定されている。
従って、図４に示すように、回転板２５は、凸部２８１の位置では下側に変形し、凸部２８２の位置では上側に変形する。
これにより、回転板２５は板ばね状に波打っており、凸部２８１をカバー２３に押し付けるとともに、凸部２８２を器具本体２０に押し付ける。これにより、回転板２５は、一定の摩擦力を持って、器具本体２０とカバー２３との間に、回転可能に保持される。
【００１７】
以上、説明した本発明に係る第１実施形態の照明器具１０によれば、ＬＥＤユニット３４を収容した灯具３０は、回転板２５から延びるアーム部２６に、上下方向へ回動可能に支持される。回転板２５は、円筒形の器具本体２０と器具本体２０の上端に装着したカバー２３との間に、回転可能に挟まれている。
そして、回転板２５の表面２５１および裏面２５２に、器具本体２０およびカバー２３に接触する凸部２８１、２８２を設けたので、別部品を設けることなく、照射方向を調整可能かつ所定位置に保持することができる。これにより、部品点数の増加および部品コストの増加を回避できる。
【００１８】
（第２実施形態）
次に、本発明に係る第２実施形態の照明器具について説明する。
なお、前述した第１実施形態に係る照明器具１０と共通する部位には同じ符号を付して、重複する説明を省略することとする。
【００１９】
図５（Ａ），図５（Ｂ）に示すように、第２実施形態の照明器具１０Ｂでは、回転板２５Ｂは、周方向に沿って上下に波形２８Ｂが形成されている。
波形２８Ｂは、上側に突出する上波部２８１Ｂと、下側に突出する下波部２８２Ｂとが、周方向に所定間隔で交互に形成されている。ここでは、上波部２８１Ｂおよび下波部２８２Ｂが、各々８個ずつ設けられており、下波部２８２Ｂは隣接する上波部２８１Ｂの中間位置に設けられている。なお、上波部２８１Ｂおよび下波部２８２Ｂの数は、限定するものではない。
【００２０】
また、図５（Ｂ）に示すように、上波部２８１Ｂの頂部から下波部２８２Ｂの頂部までの板厚ＤＢは、突起２９の隙間Ｓ（図４参照）よりも大きめとなっている。
これにより、上波部２８１Ｂはカバー２３を押圧し、下波部２８２Ｂは器具本体２０の上面２０１を押圧して、回転抵抗を発生する。
【００２１】
以上、説明した本発明に係る第２実施形態の照明器具１０Ｂによれば、前述した第１実施形態の照明器具１０と同様の作用および効果を得ることができる。
【００２２】
なお、本発明の照明器具は、前述した各実施形態に限定されるものでなく、適宜な変形，改良等が可能である。
すなわち、前述した各実施形態においては、凸部２８１、２８２および波形２８Ｂを、回転板２５の表裏両面に設けた場合を例示したが、回転板２５の表裏いずれかの面のみに凸部２８１、２８２および波形２８Ｂを設けることも可能である。
【符号の説明】
【００２３】
１０、１０Ｂ  照明器具
２０  器具本体
２０１  上面（上端）
２３  カバー
２５、２５Ｂ  回転板
２５１、２５１Ｂ  表面
２５２、２５２Ｂ  裏面
２６  アーム部
２８１、２８２  凸部
２８１Ｂ  上波部（凸部）
２８２Ｂ  下波部（凸部）
３０  灯具
３４  ＬＥＤユニット（光源）
【図１】
2013045711.tif 000003
【図２】
2013045711.tif 000004
【図３】
2013045711.tif 000005
【図４】
2013045711.tif 000006
【図５】
2013045711.tif 000007
【図６】
2013045711.tif 000008